(57)【要約】【課題】  キャビネットを汎用化させつつ、簡単な作業で表示モジュールを正確な位置に取り付けることが可能なパネル表示テレビジョンの提供を課題とする。【解決手段】  第一のスペーサ７０と第二のスペーサ８０によって液晶パネル３０の隅部を前後に挟みつつ、第一のスペーサ７０と第二のスペーサ８０をフロントキャビネット２０に対して固定するため、フロントキャビネット２０を汎用部材として使用することができる。すなわち、第一のスペーサ７０または第二のスペーサ８０を液晶パネル３０の形状に合わせて設計しておけば、液晶パネル３０の形状が変更される度にフロントキャビネット２０の変更を行わなくても済む。特に、本実施形態において、第一のスペーサ７０は、平坦部分７１ａ１にて液晶パネル３０の隅部を挟み込むため、多少液晶パネル３０の大きさが変更されても、液晶パネル３０の隅部に対して平坦部分７１ａ１を接触させることができる。【選択図】  図３
0003111670.tif 000002
【実用新案登録請求の範囲】
【請求項１】
フロントキャビネットに設けられた略矩形状の窓部からパネル状の表示モジュールを前方に露出させるパネル表示テレビジョンにおいて、
上記フロントキャビネットにおける上記窓部の四隅の外側においてそれぞれ三個後方に向かって柱状に突設されるとともに、それぞれを結ぶ連結線の形状が当該隅部に沿う略Ｌ字状となるように備えられるボスと、
上記窓部の四隅にそれぞれ装着され、同四隅に備えられた三個の上記ボスをそれぞれ内側に挿入させる略筒状の第一の装着筒が三個後方に向かって突設されるとともに、上記表示モジュールの隅部に前方から接する合成樹脂製の第一のスペーサと、
上記窓部の四隅に備えられた各第一のスペーサに対応して備えられ、
前方に向かって突設され、対となる同第一のスペーサに備えられた三個の上記第一の装着筒がそれぞれ内側に挿入可能な略筒状の第二の装着筒と、
上記表示モジュールの側壁に当接可能なガイド部と、
同表示モジュールに形成された凹部に挿入可能な固定突起とを具備するとともに、
同表示モジュールの隅部に後方から接し、対となる上記第一のスペーサとともに同表示モジュールの隅部を挟み込む合成樹脂製の第二のスペーサと、
対となる上記第一および第二のスペーサを共締めしつつ上記ボスに螺号されるネジとを具備することを特徴とするパネル表示テレビジョン。
【請求項２】
フロントキャビネットに設けられた略矩形状の窓部からパネル状の表示モジュールを前方に露出させるパネル表示装置において、
上記フロントキャビネットにおける上記窓部の隅部の外側に設けられたボスと、
上記ボスに装着可能であり、上記表示モジュールの隅部に前方から接する第一のスペーサと、
上記表示モジュールの隅部に後方から接し、上記第一のスペーサとともに同表示モジュールの隅部を挟み込む第二のスペーサと、
上記第一および第二のスペーサを共締めしつつ上記ボスに螺号されるネジとを具備することを特徴とするパネル表示装置。
【請求項３】
上記第一または第二のスペーサには、上記表示モジュールの側壁に当接可能なガイド部が設けられることを特徴とする請求項２に記載のパネル表示装置。
【請求項４】
上記第一または第二のスペーサには、上記表示モジュールに形成された凹部に挿入可能な固定突起が設けられることを特徴とする請求項２または請求項３のいずれかに記載のパネル表示装置。
【請求項５】
上記第一のスペーサには、後方に向かって突出した上記ボスを内側に挿入させる略筒状の第一の装着筒が設けられることを特徴とする請求項２から請求項４のいずれかに記載のパネル表示装置。
【請求項６】
上記第二のスペーサには、前方に向かって突出した上記第一の装着筒を内側に挿入させる略筒状の第二の装着筒が設けられることを特徴とする請求項５に記載のパネル表示装置。
【請求項７】
一対の上記第一および第二のスペーサに対して、上記ボスと上記第一および第二の装着筒と上記ネジが三対備えられることを特徴とする請求項６に記載のパネル表示装置。
【請求項８】
一対の上記第一および第二のスペーサに対して備えられる三個の上記ボスを結ぶ連結線は上記窓部の隅部に沿った略Ｌ字状となることを特徴とする請求項７に記載のパネル表示装置。
【請求項９】
上記第一および第二のスペーサは上記窓部の四隅に四対備えられることを特徴とする請求項２から請求項８のいずれかに記載のパネル表示装置。
【請求項１０】
上記第一または第二のスペーサは合成樹脂によって形成されることを特徴とする請求項２から請求項９のいずれかに記載のパネル表示装置。
【考案の詳細な説明】
【技術分野】
【０００１】
本考案は、フロントキャビネットに設けられた略矩形状の窓部からパネル状の表示モジュールを前方に露出させるパネル表示テレビジョンおよびパネル表示装置に関する。
【背景技術】
【０００２】
従来、この種のパネル表示装置として、表示パネルを複数のスペーサによってキャビネットの正規の位置にセットしつつ、押さえ部材によって固定するものが知られている（例えば、特許文献１、参照。）。
かかる構成において、表示パネルの形状が変更された場合にも、押さえ部材とスペーサのみを変更すれば表示パネルをキャビネットの正規の位置に取り付けることが可能であった。すなわち、表示パネルを変更するごとにキャビネットの設計を変更する必要がなく、キャビネットの汎用化を実現することが可能であった。
【特許文献１】特開２００１−３０５９８２号
【考案の開示】
【考案が解決しようとする課題】
【０００３】
しかしながら、上述した構成において、キャビネットに表示パネルを固定するにあたり、予め複数のスペーサをキャビネットや表示パネルに取り付け、その後、表示パネルをセットしつつ、押さえ部材によって固定しなければならず、固定作業が煩雑であるという課題があった。
本考案は、上記課題にかんがみてなされたもので、キャビネットを汎用化させつつ、簡単な作業で表示モジュールを正確な位置に取り付けることができるパネル表示テレビジョンおよびパネル表示装置の提供を目的とする。
【課題を解決するための手段】
【０００４】
上記目的を達成するため、請求項２にかかる考案では、フロントキャビネットに設けられた略矩形状の窓部からパネル状の表示モジュールを前方に露出させるパネル表示装置において、
上記フロントキャビネットにおける上記窓部の隅部の外側に設けられたボスと、上記ボスに装着可能であり、上記表示モジュールの隅部に前方から接する第一のスペーサと、上記表示モジュールの隅部に後方から接し、上記第一のスペーサとともに同表示モジュールの隅部を挟み込む第二のスペーサと、上記第一および第二のスペーサを共締めしつつ上記ボスに螺号されるネジとを具備する構成としてある。
【０００５】
上記のように構成した請求項２の考案において、パネル表示テレビジョンにおいてパネル状の表示モジュールがフロントキャビネットに設けられた略矩形状の窓部から前方に露出する。上記フロントキャビネットにおける上記窓部の隅部の外側にはボスが設けられ、このボスに装着可能な第一のスペーサが備えられる。上記第一のスペーサは上記表示モジュールの隅部に前方から接することが可能とされる。上記表示モジュールの隅部に後方から接することが可能な第二のスペーサが設けられ、同第二のスペーサは上記第一のスペーサとともに上記表示モジュールの隅部を前後に挟み込むことができる。そして、上記第一および第二のスペーサは、上記ボスに螺号されるネジによって共締めされる。すなわち、上記ネジを上記ボスに螺号することにより、上記第一のスペーサと上記第二のスペーサととともに、これらに挟み込まれた上記表示モジュールも上記フロントキャビネットに固定することができる。
【０００６】
上記第一および第二のスペーサによって上記表示モジュールを挟み込んで固定することができるため、上記フロントキャビネットを同表示モジュールの固定に寄与させないようにすることができる。従って、上記表示モジュールの形状が変更された場合でも、上記第一または第二のスペーサを適応した形状とすることにより、上記フロントキャビネットを汎用的に使用することができる。なお、上記表示モジュールの形状が変更されるにともなって、上記第一のスペーサのみの形状が変更されてもよいし、上記第二のスペーサのみの形状が変更されてもよいし、これらの形状が双方とも変更されてもよい。また、上記第一および第二のスペーサは上記ネジによって共締めされるため、上記第一および第二のスペーサと上記表示モジュールを上記フロントキャビネットに個別に取り付けなくても済み、作業性がよい。
【０００７】
また、請求項３にかかる考案では、上記第一または第二のスペーサには、上記表示モジュールの側壁に当接可能なガイド部が設けられる構成としてある。
上記のように構成した請求項３の考案において、上記第一または第二のスペーサに上記表示モジュールの側壁に当接可能なガイド部を設けることにより、同第一または第二のスペーサに対して同表示モジュールを確実に位置決め固定することができる。
【０００８】
さらに、請求項４にかかる考案では、上記第一または第二のスペーサには、上記表示モジュールに形成された凹部に挿入可能な固定突起が設けられる構成としてある。
上記のように構成した請求項４の考案において、上記第一または第二のスペーサに上記表示モジュールに形成された凹部に挿入可能な固定突起を設けることにより、同表示モジュールを同第一または第二のスペーサに対して固定することができる。
【０００９】
さらに、請求項５にかかる考案は、上記第一のスペーサには、後方に向かって突出した上記ボスを内側に挿入させる略筒状の第一の装着筒が設けられる構成としてある。
上記のように構成した請求項５の考案において、上記ボスは上記フロントキャビネットから後方に向かって突出するとともに、上記第一のスペーサには同ボスを内側に挿入させる略筒状の第一の装着筒が設けられる。すなわち、上記ボスを上記第一の装着筒に挿入することにより、上記第一のスペーサを上記フロントキャビネットに装着することができる。
【００１０】
また、請求項６にかかる考案は、上記第二のスペーサには、前方に向かって突出した上記第一の装着筒を内側に挿入させる略筒状の第二の装着筒が設けられる構成としてある。
上記のように構成した請求項６の考案において、上記第一の装着筒は上記第一のスペーサから前方に向かって突出するとともに、上記第二のスペーサには同第一の装着筒を内側に挿入させる略筒状の第二の装着筒が設けられる。すなわち、上記第一の装着筒を上記第二の装着筒に挿入することにより、上記第二のスペーサを上記第一のスペーサに装着することができる。このように、上記フロントキャビネットに装着された上記第一のスペーサと、さらに同第一のスペーサに装着された上記第二のスペーサを上記ネジにて共締めすることができる。
【００１１】
また、請求項７にかかる考案は、一対の上記第一および第二のスペーサに対して、上記ボスと上記第一および第二の装着筒と上記ネジが三対備えられる構成としてある。
上記のように構成した請求項７の考案において、対となる上記第一および第二のスペーサを互いに装着し共締めするために、上記ボスと上記第一および第二の装着筒と上記ネジが三対設けられる。すなわち、上記第一および第二のスペーサを上記フロントキャビネットに対して３点で固定することができる。
【００１２】
また、請求項８にかかる考案は、一対の上記第一および第二のスペーサに対して備えられる三個の上記ボスを結ぶ連結線は上記窓部の隅部に沿った略Ｌ字状となる構成としてある。
上記のように構成した請求項８の考案において、対となる上記第一および第二のスペーサに対して三個の上記ボスが設けられる。そして、三個の上記ボスを相互に結ぶ連結線が上記窓部の隅部に沿った略Ｌ字状となるように、同ボスが配置される。すなわち、三個の上記ボスによって、上記表示モジュールの隅部を外側から囲むように上記ネジによる固定を行うことができる。
【００１３】
さらに、請求項９にかかる考案は、上記第一および第二のスペーサは上記窓部の四隅に四対備えられる構成としてある。
上記のように構成した請求項９の考案において、略矩形上の上記窓部の四隅において、それぞれ対となる上記第一および第二のスペーサが備えられる。従って、上記表示モジュールの四隅を外側から囲むように固定することができる。
【００１４】
また、請求項１０にかかる考案は、上記第一または第二のスペーサは合成樹脂によって形成される構成としてある。
上記のように構成した請求項１０の考案において、上記第一または第二のスペーサは上記表示モジュールの変更にともなって形状の変更をする必要があるが、これらを合成樹脂で形成しておけば形状の変更に柔軟に対応することができる。
【００１５】
以上の構成を踏まえたうえで、請求項１の考案は、フロントキャビネットに設けられた略矩形状の窓部からパネル状の表示モジュールを前方に露出させるパネル表示テレビジョンにおいて、
上記フロントキャビネットにおける上記窓部の四隅の外側においてそれぞれ三個後方に向かって柱状に突設されるとともに、それぞれを結ぶ連結線の形状が当該隅部に沿う略Ｌ字状となるように備えられるボスと、上記窓部の四隅にそれぞれ装着され、同四隅に備えられた三個の上記ボスをそれぞれ内側に挿入させる略筒状の第一の装着筒が三個後方に向かって突設されるとともに、上記表示モジュールの隅部に前方から接する合成樹脂製の第一のスペーサと、上記窓部の四隅に備えられた各第一のスペーサに対応して備えられ、
前方に向かって突設され、対となる同第一のスペーサに備えられた三個の上記第一の装着筒がそれぞれ内側に挿入可能な略筒状の第二の装着筒と、上記表示モジュールの側壁に当接可能なガイド部と、同表示モジュールに形成された凹部に挿入可能な固定突起とを具備するとともに、同表示モジュールの隅部に後方から接し、対となる上記第一のスペーサとともに同表示モジュールの隅部を挟み込む合成樹脂製の第二のスペーサと、対となる上記第一および第二のスペーサを共締めしつつ上記ボスに螺号されるネジとを具備する構成としてある。
このような、より具体的な構成において上述した請求項２〜請求項１０の各考案と同様の作用を奏することは言うまでもない。
【考案の効果】
【００１６】
以上説明したように請求項１および請求項２の考案によれば、キャビネットを汎用化させつつ、簡単な作業で表示モジュールを正確な位置に取り付けることができるパネル表示テレビジョンおよびパネル表示装置を提供することができる。
請求項３の考案によれば、表示モジュールを正確な位置に固定することができる。
請求項４の考案によれば、表示モジュールを確実に固定することができる。
【００１７】
請求項５の考案によれば、簡易な構成で第一のスペーサをフロントキャビネットに装着することができる。
請求項６の考案によれば、簡易な構成で第二のスペーサを第一のスペーサに装着することができ、共締めの際の位置ずれが防止できる。
請求項７の考案によれば、表示モジュールを安定して固定するとともに、固定強度を高くすることができる。
【００１８】
請求項８の考案によれば、表示モジュールを安定して固定することができる。
請求項９の考案によれば、表示モジュールを強固に固定することができる。
請求項１０の考案によれば、表示モジュールの変更に柔軟に対応することができる。
【考案を実施するための最良の形態】
【００１９】
ここでは、下記の順序に従って本考案の実施形態について説明する。
（１）液晶テレビジョンの全体構成：
（２）液晶モジュールの取り付け構造について：
（３）まとめ：
【００２０】
（１）液晶テレビジョンの全体構成：
以下、本考案の一実施形態にかかるパネル表示テレビジョンとしての液晶テレビジョンについて説明する。図１は、液晶テレビジョン１０を正面から見て示している。同図において、液晶テレビジョン１０は、キャビネット１１と略矩形板状の表示パネルとしての液晶パネル３０と脚部２９とから構成されている。キャビネット１１の前方部分を構成するフロントキャビネット２０の中央部に窓部２１が形成されており、同フロントキャビネット２０は矩形枠状となっている。
【００２１】
そして、窓部２１からフロントキャビネット２０の背面側に配置された液晶パネル３０が前方に露出している。フロントキャビネット２０の下部には、電源操作やチャンネル操作を行うための操作スイッチ２７が備えられている。また、脚部２９は、キャビネット１１を支持しており、それにより液晶テレビジョン１０が正立し、液晶パネル３０の表示面が略鉛直に配向させられている。なお、以下の説明において特別に示さない限り、液晶テレビジョン１０の正立時における方向を基準として説明を行うものとする。
【００２２】
図２は、液晶テレビジョン１０を分解した様子を側方から見て示している。同図において、キャビネット１１の前方部分を構成するフロントキャビネット２０と後方部分を構成する背面キャビネット２５とが前後に配置され、これらによって挟み込まれる位置に液晶モジュール４０が配置されている。液晶モジュール４０の前面側に本考案の表示パネルを構成する液晶パネル３０が表示面を前方に露出するように取り付けられている。一方、液晶モジュール４０の後方に金属製の保護カバー３２が取り付けられている。保護カバー３２は、液晶モジュール４０に取り付けられた液晶パネル３０の背面側を保護するとともに、同背面側に備えられるバックライト等の各種電装部材を内側に収容している。保護カバー３２の後方には映像出力基板３４が備えられている。映像出力基板３４の映像出力端子はフラットケーブル３５を介して液晶パネル３０と接続している。
【００２３】
液晶モジュール４０の後方には、チューナ基板３７も備えられており、アンテナ入力やコンポジット入力等の入力端子３７ａを側方に配向させている。また、チューナ基板３７の紙面奥方には電源基板３６が備えられており、電源ケーブル３８から供給された電源を液晶テレビジョン１０の各部にて使用可能な電源に変換しつつ、同各部に出力している。以上のように、液晶モジュール４０には予め各種部材３０，３２，３４，３５，３６が組み付けられているため、これらを一体的に取り扱うことができる。液晶テレビジョン１０を組み付けるにあたっては、予め一体的に組み付けられた液晶モジュール４０をフロントキャビネット２０に取り付けて、その後、背面キャビネット２５をフロントキャビネット２０に固定する。
【００２４】
（２）液晶モジュールの取り付け構造について：
次に、液晶モジュール４０をフロントキャビネット２０に取り付けるための作業と構造について説明する。図３は、液晶モジュール４０がフロントキャビネット２０に取り付ける様子を示している。同図において、フロントキャビネット２０の窓部２１よりも幅および高さが大きい液晶パネル３０の周縁部がフロントキャビネット２０に接するようにセットされる。これにより、液晶パネル３０の中央部が窓部２１から前方に露出し、液晶パネル３０における表示状態を前方から視認することができる。また、液晶パネル３０の周縁部がフロントキャビネット２０に接する状態において、液晶パネル３０がフロントキャビネット２０に対して固定される。これにより、液晶モジュール４０をフロントキャビネット２０に対して固定することができる。
【００２５】
液晶モジュール４０をフロントキャビネット２０に対して固定するにあたっては、液晶パネル３０の四隅に備えられた４個の第一のスペーサ７０，７０，７０，７０と、この第一のスペーサ７０，７０，７０，７０と対になって備えられる第二のスペーサ８０，８０，８０，８０とが利用される。具体的には、予めフロントキャビネット２０に対して第一のスペーサ７０，７０，７０，７０を装着しておき、その後、液晶モジュール４０を後方からフロントキャビネット２０に載置する。そして、フロントキャビネット２０に載置された液晶モジュール４０の四隅に後方から被せるように第二のスペーサ８０，８０，８０，８０を装着する。さらに、対となる第一のスペーサ７０，７０，７０，７０および第二のスペーサ８０，８０，８０，８０をそれぞれ三個のネジ９０ａ，９０ｂ，９０ｃ，９０ａ，９０ｂ，９０ｃ，９０ａ，９０ｂ，９０ｃ，９０ａ，９０ｂ，９０ｃで共締めして固定する。なお、フロントキャビネット２０の前面が下になるようにフロントキャビネット２０を寝かせた状態で、液晶モジュール４０の取り付けが行われる。
【００２６】
図４は、フロントキャビネット２０の窓部２１の隅部を斜め後方から見て示している。同図において、窓部２１の右上隅部（正面視を基準とする。以下、同じ。）が示されている。フロントキャビネット２０は概略板状に形成されており、中央を肉抜きすることにより矩形状の窓部２１が形成されている。この窓部２１の隅部から所定量外側の位置には三個のボス２２ａ，２２ｂ，２２ｃが後方に向かって突設されている。ボス２２ａ，２２ｂ，２２ｃはそれぞれ軸方向を前後に配向させた円柱状に形成されており、中央には軸方向が前後に配向する円柱状のネジ穴２２ａ１，２２ｂ１，２２ｃ１が形成されている。各ネジ穴２２ａ１，２２ｂ１，２２ｃ１の側壁には、螺号方向が前後方向となるように螺旋状のネジ山がそれぞれ形成されている。
【００２７】
窓部２１の左隅部における同窓部２１の上辺の上外側に一のボス２２ａが突設されており、同窓部２１の左辺の左外側に他のボス２２ｂが突設されている。さらに、窓部２１の左隅部における同窓部２１の角の右上外側にもう一つのボス２２ｃが立設されている。隣接するボス２２ａ，２２ｂ，２２ｃ同士を結ぶ連結線Ｕ１，Ｕ２を描くとすると、連結線Ｕ１，Ｕ２は略直角に交わり、窓部２１の右上隅に沿うようなＬ字を同右上隅の外側に描くことができる。
【００２８】
図５は、フロントキャビネット２０の四隅を後方から見て示している。同図において、窓部２１の左上隅部と左下隅部と右下隅部においてもそれぞれ三個ずつボス２２ａ，２２ｂ，２２ｃ，２２ａ，２２ｂ，２２ｃ，２２ａ，２２ｂ，２２ｃが形成されている。左上隅部と左下隅部と右下隅部におけるボス２２ａ，２２ｂ，２２ｃ，２２ａ，２２ｂ，２２ｃ，２２ａ，２２ｂ，２２ｃの配置は、図４に示す右上隅部におけるボス２２ａ，２２ｂ，２２ｃの配置と対称な配置とされている。また、左上隅部と左下隅部と右下隅部に設けられるボス２２ａ，２２ｂ，２２ｃ，２２ａ，２２ｂ，２２ｃ，２２ａ，２２ｂ，２２ｃの形状も図４に示す右上隅部におけるボス２２ａ，２２ｂ，２２ｃの形状と同じとされている。
【００２９】
図６は、第一のスペーサ７０，７０，７０，７０のうち窓部２１の右上隅部の外側に取り付けられるものを斜めから見て示している。同図において、第一のスペーサ７０は矩形板状の平板部７１を有しており、同平板部７１から三個の第一の装着筒７２ａ，７２ｂ，７２ｃが後方に向かって突設されている。第一の装着筒７２ａ，７２ｂ，７２ｃはそれぞれ円筒状に形成されており、内側には内径がボス２２ａ，２２ｂ，２２ｃの外径よりもわずかに大きい貫通穴が形成されている。第一のスペーサ７０は合成樹脂で成型されている。また、第一の装着筒７２ａ，７２ｂ，７２ｃは、ボス２２ａ，２２ｂ，２２ｃの配置と同様に連結線Ｖ１，Ｖ２が略Ｌ字となるようにされ、配置間隔も同様とされている。従って、平板部７１における第一の装着筒７２ａと第一の装着筒７２ｂとの間には、平坦部分７１ａ１が形成されている。
【００３０】
図７は、フロントキャビネット２０の窓部２１の右上隅部に第一のスペーサ７０が装着された状態を示している。同図において、第一の装着筒７２ａ，７２ｂ，７２ｃの内側にボス２２ａ，２２ｂ，２２ｃがそれぞれ挿入されている。第一のスペーサ７０の第一の装着筒７２ａ，７２ｂ，７２ｃが窓部２１の外側に位置し、平坦部分７１ａ１は窓部２１の右上隅に近い側に位置している。また、フロントキャビネット２０の前面が下になるようにフロントキャビネット２０を寝かせた状態で液晶モジュール４０の取り付けが行われるため、上方に配向するボス２２ａ，２２ｂ，２２ｃに対して第一のスペーサ７０を挿し込んで装着することができる。従って、第一のスペーサ７０をネジ等によって固定しなくても液晶モジュール４０の取り付け時において、第一のスペーサ７０がフロントキャビネット２０から離脱してしまうことはない。
【００３１】
図８は、窓部２１の四隅の外側においてそれぞれ第一のスペーサ７０，７０，７０，７０をフロントキャビネット２０に装着した状態を後方から見て示している。同図において、それぞれ対称な形状で形成された第一のスペーサ７０，７０，７０，７０は対称となる方向で装着されており、それぞれの平坦部分７１ａ１，７１ａ１，７１ａ１，７１ａ１を窓部２１の四隅に近い側に配向させている。なお、平坦部分７１ａ１，７１ａ１，７１ａ１，７１ａ１が窓部２１の内側にはみ出さない程度に、第一のスペーサ７０，７０，７０，７０は窓部２１の外側に取り付けられる。従って、第一のスペーサ７０，７０，７０，７０が窓部２１を介して前方から視認され、見栄えを悪くさせることもない。
【００３２】
以上のようにして、第一のスペーサ７０，７０，７０，７０をフロントキャビネット２０に装着すると、第一のスペーサ７０，７０，７０，７０の平坦部分７１ａ１，７１ａ１，７１ａ１，７１ａ１に対して後方から液晶パネル３０の四隅がそれぞれ接するように、同液晶モジュール４０が載置される。図９は、液晶モジュール４０が載置された状態を後方から見て示している。同図において、第一のスペーサ７０，７０，７０，７０のそれぞれに備えられた１２個の第一の装着筒７２ａ，７２ｂ，７２ｃ，７２ａ・・・に干渉することなく、これらの内側に液晶パネル３０を載置することができ、平坦部分７１ａ１，７１ａ１，７１ａ１，７１ａ１を前方から液晶パネル３０の四隅に接触させることができる。また、液晶パネル３０の側壁と第一の装着筒７２ａ，７２ｂ，７２ｃ，７２ａ・・・との間に隙間が形成される程度に、第一のスペーサ７０，７０，７０，７０は窓部２１の外側に取り付けられている。また、液晶パネル３０の四隅においては後方から前方に向かって略円柱状の凹部３１，３１，３１，３１が形成されている。
【００３３】
図１０は、第二のスペーサ８０，８０，８０，８０のうち窓部２１の右上隅部の外側に取り付けられるものを斜めから見て示している。同図において、第二のスペーサ８０は矩形板状の平板部８１を有しており、同平板部８１から三個の第二の装着筒８２ａ，８２ｂ，８２ｃが前方に向かって突設されている。第二の装着筒８２ａ，８２ｂ，８２ｃはそれぞれ円筒状に形成されており、内径が第一の装着筒７２ａ，７２ｂ，７２ｃの外径よりもわずかに大きく形成されている。ただし、平板部８１の高さにおいてネジ９０ａ，９０ｂ，９０ｃの頭部よりも第一の装着筒７２ａ，７２ｂ，７２ｃの内径を狭めることにより、ネジ挿通穴８５ａ，８５ｂ，８５ｃが設けられている。第二のスペーサ８０も合成樹脂で成型されている。また、第二の装着筒８２ａ，８２ｂ，８２ｃは、ボス２２ａ，２２ｂ，２２ｃや第一の装着筒７２ａ，７２ｂ，７２ｃの配置と同様に連結線Ｐ１，Ｐ２が略Ｌ字となるようにされ、配置間隔も同様とされている。従って、平板部８１における第二の装着筒８２ａと第二の装着筒８２ｂとの間には、平坦部分８１ａ１が形成されている。
【００３４】
また、第二の装着筒８２ａ，８２ｂ，８２ｃとボス２２ａ，２２ｂ，２２ｃと第一の装着筒７２ａ，７２ｂ，７２ｃは全て液晶パネル３０の隅部の厚みよりも高さが低く形成されている。平坦部分８１ａ１の略中央部には前方に向かって略円柱状の固定突起８３が突設されている。さらに、平坦部分８１ａ１における連結線Ｐ１，Ｐ２と固定突起８３との間に所定の高さで二個のガイド部８４，８４が突設されている。ガイド部８４，８４はそれぞれ長細い矩形状に形成されており、長さ方向がそれぞれ連結線Ｐ１，Ｐ２と平行となっている。
【００３５】
図１１は、フロントキャビネット２０の窓部２１の右上隅部に第二のスペーサ８０が装着された状態を示している。同図において、第二の装着筒８２ａ，８２ｂ，８２ｃの内側に第一の装着筒７２ａ，７２ｂ，７２ｃがそれぞれ挿入されている。さらに、第一の装着筒７２ａ，７２ｂ，７２ｃの内側にボス２２ａ，２２ｂ，２２ｃがそれぞれ挿入されている。なお、上述したように第一の装着筒７２ａ，７２ｂ，７２ｃと液晶パネル３０との間に隙間が形成されているため、第二の装着筒８２ａ，８２ｂ，８２ｃが液晶パネル３０に干渉しない。
【００３６】
このとき、第二のスペーサ８０の第二の装着筒８２ａ，８２ｂ，８２ｃが窓部２１の外側に位置し、平坦部分８１ａ１は内側に載置された液晶パネル３０の右上隅部に後方から接触する。すなわち、前方の第一のスペーサ７０の平坦部分７１ａ１と、後方の第二のスペーサ８０の平坦部分８１ａ１によって、液晶パネル３０の右上隅部が前後から挟み込まれている。このとき、液晶パネル３０の右上隅部に形成された凹部３１に対して固定突起８３が挿入されるとともに、液晶パネル３０の上側および左側の側壁に対して右側からガイド部８４，８４がそれぞれ当接する。
【００３７】
図１２は、第二のスペーサ８０，８０，８０，８０を装着した状態を後方から見て示している。同図において、それぞれ対称な形状で形成された第二のスペーサ８０，８０，８０，８０は対称となる方向で装着されており、それぞれの平坦部分８１ａ１，８１ａ１，８１ａ１，８１ａ１を内側に配向させている。この状態において、第二のスペーサ８０，８０，８０，８０のそれぞれに形成された固定突起８３，８３，８３，８３は、液晶パネル３０の四隅に形成された凹部３１，３１，３１，３１に対してそれぞれ挿入される。また、第二のスペーサ８０，８０，８０，８０のそれぞれ一対ずつ形成されたガイド部８４，８４，８４，８４，８４，８４，８４，８４は液晶パネル３０の上下左右の側壁に対して外側から挟み込むように当接する。
【００３８】
従って、液晶モジュール４０は、第二のスペーサ８０，８０，８０，８０によって上下左右に拘束されることとなる。なお、第二のスペーサ８０，８０，８０，８０は第一のスペーサ７０，７０，７０，７０を介してフロントキャビネット２０の一定位置に固定されているため、液晶モジュール４０はフロントキャビネット２０に対して上下左右に固定されたこととなる。また、液晶パネル３０の四隅において、それぞれ第一のスペーサ７０，７０，７０，７０と第二のスペーサ８０，８０，８０，８０を四対装着することにより、互いに挿入されるボス２２ａ，２２ｂ，２２ｃ・・・と第一の装着筒７２ａ，７２ｂ，７２ｃ・・・と第二の装着筒８２ａ，８２ｂ，８２ｃ・・・とが１２組形成される。ボス２２ａ，２２ｂ，２２ｃ・・・と第一の装着筒７２ａ，７２ｂ，７２ｃ・・・と第二の装着筒８２ａ，８２ｂ，８２ｃ・・・が互いに挿入された状態において、ボス２２ａ，２２ｂ，２２ｃ・・・に形成されたネジ穴２２ａ１，２２ｂ１，２２ｃ１・・・がネジ挿通穴８５ａ，８５ｂ，８５ｃ・・・を介して、後方に露出する。
【００３９】
そして、ネジ挿通穴８５ａ，８５ｂ，８５ｃ・・・を挿通させつつ後方に露出した１２個のネジ穴２２ａ１，２２ｂ１，２２ｃ１・・・に対してそれぞれネジ９０ａ，９０ｂ，９０ｃ・・・を螺号させる。これにより、ネジ穴２２ａ１，２２ｂ１，２２ｃ１・・・が形成されたボス２２ａ，２２ｂ，２２ｃ・・・を介して第一のスペーサ７０，７０，７０，７０と第二のスペーサ８０，８０，８０，８０をフロントキャビネット２０に共締め固定することができる。よって、第一のスペーサ７０，７０，７０，７０と第二のスペーサ８０，８０，８０，８０が前後から液晶パネル３０の四隅を挟み込んだ状態で第一のスペーサ７０，７０，７０，７０と第二のスペーサ８０，８０，８０，８０を相対固定できるとともに、これらをフロントキャビネット２０に対して固定することもできる。従って、液晶パネル３０が前後左右に動くことが不能となり、液晶モジュール４０を完全に固定することができる。以上のように液晶モジュール４０の固定が完了すると、背面キャビネット２５をフロントキャビネット２０に対して取り付け、液晶モジュール４０が封止される。
【００４０】
（３）まとめ：
以上説明したように、本考案において第一のスペーサ７０と第二のスペーサ８０によって液晶パネル３０の隅部を前後に挟みつつ、第一のスペーサ７０と第二のスペーサ８０をフロントキャビネット２０に対して固定するため、フロントキャビネット２０を汎用部材として使用することができる。すなわち、第一のスペーサ７０または第二のスペーサ８０を液晶パネル３０の形状に合わせて設計しておけば、液晶パネル３０の形状が変更される度にフロントキャビネット２０の変更を行わなくても済む。特に、本実施形態において、第一のスペーサ７０は、平坦部分７１ａ１にて液晶パネル３０の隅部を挟み込むため、多少液晶パネル３０の大きさが変更されても、液晶パネル３０の隅部に対して平坦部分７１ａ１を接触させることができる。すなわち、本実施形態においては、第二のスペーサ８０の固定突起８３とガイド部８４，８４の変更のみで液晶パネル３０のサイズ変更に対応することができるため、第一のスペーサ７０も汎用的に使用することができる。むろん、大幅に液晶パネル３０の形状変更がある場合には、第一のスペーサ７０と第二のスペーサ８０の双方を変更するようにしてもよい。
【００４１】
また、第一のスペーサ７０と第二のスペーサ８０は合成樹脂で形成されるため、設計変更に柔軟に対応できるとともに、特定の液晶パネル３０に対する専用部材として形成してもコストが大幅に増大することもない。また、液晶パネル３０が四隅に設けられた四対の第一のスペーサ７０，７０，７０，７０と第二のスペーサ８０，８０，８０，８０によって挟み込まれて固定されるため、液晶テレビジョン１０が正立した状態においても、確実に液晶モジュール４０を保持することができる。特に、固定突起８３が凹部３１に挿入され、ガイド部８４，８４が液晶パネル３０の側壁を外側から挟み込むため、液晶パネル３０の位置ずれ等が起きることもない。
【００４２】
また、第一のスペーサ７０，７０，７０，７０と第二のスペーサ８０，８０，８０，８０はそれぞれ三個のネジ９０ａ，９０ｂ，９０ｃ・・・によって固定されるため、液晶モジュール４０を確実に保持しておくことができる。また、液晶モジュール４０の荷重が集中するボス２２ａ，２２ｂ，２２ｃ・・・が合計で１２個形成されるため、荷重を分散させ、ボス２２ａ，２２ｂ，２２ｃ・・・の破損を防止することができる。ただし、第一のスペーサ７０，７０，７０，７０と第二のスペーサ８０，８０，８０，８０はネジ９０ａ，９０ｂ，９０ｃ・・・によって共締めすることができるため、ネジ止め作業が煩雑になることもない。
【００４３】
さらに、液晶モジュール４０の荷重が集中するボス２２ａ，２２ｂ，２２ｃ・・・の外側を、第一の装着筒７２ａ，７２ｂ，７２ｃ・・・と第二の装着筒８２ａ，８２ｂ，８２ｃ・・・が取り囲み、これらによってボス２２ａ，２２ｂ，２２ｃ・・・の強度を向上させることができる。また、第一のスペーサ７０と第二のスペーサ８０は略板状の平板部７１，８１を有しているため、これらが液晶パネル３０やフロントキャビネット２０に広く接して液晶モジュール４０の荷重を広く分散させることができる。従って、大型の液晶パネル３０を備える液晶モジュール４０やプラズマ表示モジュール等も十分に支持することができる。
【図面の簡単な説明】
【００４４】
【図１】本考案の一実施形態にかかる液晶テレビジョンの正面図である。
【図２】液晶テレビジョンの分解側面図である。
【図３】液晶モジュールの取り付け説明図である。
【図４】フロントキャビネットの後方斜視図である。
【図５】フロントキャビネットの背面図である。
【図６】第一のスペーサの斜視図である。
【図７】フロントキャビネットの後方斜視図である。
【図８】フロントキャビネットの後方斜視図である。
【図９】フロントキャビネットの背面図である。
【図１０】第二のスペーサの斜視図である。
【図１１】フロントキャビネットの後方斜視図である。
【図１２】フロントキャビネットの後方斜視図である。
【符号の説明】
【００４５】
１０…液晶テレビジョン
１１…キャビネット
２０…フロントキャビネット２１…窓部
２１…同窓部
２２ａ１，２２ｂ１，２２ｃ１…ネジ穴
２２ａ，２２ｂ，２２ｃ…ボス
２５…背面キャビネット
２７…操作スイッチ
２９…脚部
３０…液晶パネル３１…凹部
３２…保護カバー
３４…映像出力基板
３５…フラットケーブル
３６…電源基板
３７…チューナ基板
３７ａ…入力端子
３８…電源ケーブル
４０…液晶モジュール
７０…第一のスペーサ
７１…平板部
７１ａ１…平坦部分
７２ａ，７２ｂ，７２ｃ…第一の装着筒
８０…第二のスペーサ
８１…平板部
８２ａ，８２ｂ，８２ｃ…第二の装着筒
８３…固定突起
８４…ガイド部
８５ａ，８５ｂ，８５ｃ…ネジ挿通穴
９０ａ，９０ｂ，９０ｃ…ネジ
Ｐ１，Ｐ２…連結線
Ｕ１，Ｕ２…連結線
Ｖ１，Ｖ２…連結線
【図１】
0003111670.tif 000003
【図２】
0003111670.tif 000004
【図３】
0003111670.tif 000005
【図４】
0003111670.tif 000006
【図５】
0003111670.tif 000007
【図６】
0003111670.tif 000008
【図７】
0003111670.tif 000009
【図８】
0003111670.tif 000010
【図９】
0003111670.tif 000011
【図１０】
0003111670.tif 000012
【図１１】
0003111670.tif 000013
【図１２】
0003111670.tif 000014